(57)【要約】【課題】従来の歯ブラシの構造は、歯茎を守るための上下縦方向の歯磨きに適しない。また、従来の歯ブラシで歯の表裏両面を均一に磨くのも困難であり、歯と歯茎をそれぞれ異なる力で磨くのも容易では無い。従来の歯ブラシの上記欠点を克服するため、斬新な構造を持つオーラルケア器具を考案する。【解決手段】前記器具は、主に外壁（１）、内壁（２）と噛み合い部（９）で構成され、左右対称的な構造を有する。歯及び歯茎の表面との摩擦力を発生させるため、内壁（２）と噛み合い部（９）の表面上には、それぞれ凹凸状表面構造を持つ第一表面（３）と第二表面（８）が設けてある。また、歯磨きをより便利に行うため、前記器具に柄（１３）を備えることもできる。前記器具を装着して、上下の歯で噛み合い部（９）を噛み合うことによって、目的の歯と歯茎の表裏両面を、上下の縦方向に沿って同時に磨くと共に、歯の噛み合い面も磨く。【選択図】図１
2019083949.tif 000002
【特許請求の範囲】
【請求項１】
噛み合い部の上側または下側の両端、或いは、噛み合い部の上下両側の両端に外壁と内壁が対称的に設置され、前記外壁と内壁は互いに結合して前記噛み合い部と結合し、前記噛み合い部とその両端に設けてある前記内壁によって、歯と歯茎を受容する空間を構成することを特徴とする、オーラルケア器具。
【請求項２】
前記噛み合い部と、その上側または下側の両端に対称的に設置された前記内壁で構成された空間は、上部或いは下部の、一個または数個の歯とその歯茎を受容することを特徴とする、請求項１記載のオーラルケア器具。
【請求項３】
前記噛み合い部と、その上下両側の両端に対称的に設置された前記内壁で構成された空間は、上下の一対或いは数対の歯とその歯茎を受容することを特徴とする、請求項１記載のオーラルケア器具。
【請求項４】
前記内壁は、歯部内壁と歯茎部内壁の片方、または、両方で構成されることが可能であり、前記内壁が歯部内壁と歯茎部内壁の両方で構成される場合は、歯部内壁と歯茎部内壁との接触面が傾斜状であり、前記歯部内壁と歯茎部内壁の表面が一個以上の弧形面で構成されることを特徴とする、請求項１記載のオーラルケア器具。
【請求項５】
前記噛み合い部に設けてある器具間接続機構を互いに嵌め込む、或いは、粘着する等の方法で、複数の器具を接続させ、上部または下部の全ての歯と歯茎、或いは左の半分または右の半分の上下全ての歯と歯茎、或いは口腔内の上下全ての歯と歯茎を受容する器具を構成することを特徴とする、請求項２と３記載のオーラルケア器具。
【請求項６】
前記歯部内壁または歯茎部内壁は内壁弾性部品と結合し、前記内壁弾性部品が前記外壁、または、前記噛み合い部に固定されることを特徴とする、請求項４記載のオーラルケア器
【請求項７】
前記外壁と歯部内壁または歯茎部内壁、或いは、前記噛み合い部を通貫する器具排液口兼通気口が設置され、前記噛み合い部の中には、前記内壁に平行する方向に沿って、器具歯磨き剤通路及びそれと垂直通貫する器具歯磨き剤噴射口が設置され、前記噛み合い部には柄と接続する器具接続口が設けてあることを特徴とする、請求項１と４記載のオーラルケア器具。
【請求項８】
前記柄は、前記噛み合い部の噛み合い面と平行または垂直な方向に沿って、前記噛み合い部と接続し、前記柄と前記噛み合い部との接続角度は、前記噛み合い部の噛み合い面と平行または垂直な面内に於いて、０°〜１８０°の範囲内で変化し、前記柄の中には柄歯磨き剤貯蓄箱と柄歯磨き剤通路が設けてあり、前記器具歯磨き剤通路と前記柄歯磨き剤通路が互いに通貫することを特徴とする、請求項１と７記載のオーラルケア器具。
【請求項９】
前記歯部内壁または歯茎部内壁の表面上には、歯及び歯茎の表面との摩擦力及び表面接触面積を増やすための第一表面が設置され、前記歯部内壁の表面と、前記歯茎部内壁の表面と、前記第一表面の材質及び構造が互いに同じであっても良いし、互いに異なっても良く、前記歯部内壁の表面上に設けた前記第一表面と、前記歯茎部内壁の表面上に設けた前記第一表面の材質及び構造が互いに同じであっても良いし、互いに異なっても良く、前記噛み合い部の表面上には、歯の噛み合い面との摩擦力及び表面接触面積を増やすための第二表面が設置され、前記噛み合い部の表面と前記第二表面の材質及び構造が互いに同じであっても良いし、互いに異なっても良く、前記第一表面と第二表面の材質及び構造が互いに同じであっても良いし、互いに異なっても良く、前記歯部内壁の表面と、前記歯茎部内壁の表面と、前記噛み合い部の表面の材質及び構造が互いに同じであっても良いし、互いに異なっても良いことを特徴とする、請求項１と４記載のオーラルケア器具。
【請求項１０】
前記歯部内壁の表面、歯茎部内壁の表面、噛み合い部の表面、第一表面と第二表面の表面構造物は、凹凸状の球形、半球形、円柱形、円錐形、三角錐形、立方形、三角形、四角形、六角形、多角形、棒形、縦向きの皺、横向きの皺、横と縦交錯の皺の中の一種、または、数種の構造の任意の組み合わせで構成され、前記歯部内壁の表面、歯茎部内壁の表面、噛み合い部の表面、第一表面と第二表面の前記凹凸状表面構造物の材質及び構造が互いに同じであっても良いし、互いに異なっても良いことを特徴とする、請求項４と９記載のオーラルケア器具。
【請求項１１】
前記歯部内壁の表面と歯茎部内壁の表面、或いは、前記第一表面が歯と歯茎の表面と接触し、前記噛み合い部の表面、或いは、前記第二表面が歯の噛み合い面と接触することを特徴とする、請求項４と９記載のオーラルケア器具。
【請求項１２】
前記外壁、歯部内壁、歯茎部内壁、噛み合い部、第一表面と第二表面を互いに固定し、または、それぞれ独立した個別の部品として、互いに嵌め込む、或いは、粘着することによって、前記器具を組み立てることを特徴とする、請求項１、４と９記載のオーラルケア器具。
【請求項１３】
前記歯部内壁の表面、歯茎部内壁の表面、噛み合い部の表面、第一表面と第二表面は、全てシリコン等の非ブラシ材で構成され、または、シリコン等の非ブラシ材とブラシ材の組み合わせで構成され、或いは、全てブラシ材で構成されることを特徴とする、請求項４と９記載のオーラルケア器具。
【発明の詳細な説明】
【技術分野】
【０００１】
本発明は、一種のオーラルケア器具に関するものであり、特に歯と歯茎の表裏両面を均一な摩擦力で同時に磨く器具に関するものである。
【背景技術】
【０００２】
従来の歯ブラシは、歯と歯茎の表裏両面を均一に磨く、または、歯茎を保護するに有利な上下縦方向の歯磨きを行うに適した構造になっていないため、歯磨きの過不足が起こり易く、歯茎にもダメージを与える場合が多い。
【０００３】
従来の歯ブラシの歯磨き効果を高めるためには、ブラシ材の硬さや毛先の構造等を変更する方法しかなく、ブラシと歯の表面との摩擦力及びその分布をより細かく且つ多様に設計することが困難であり、歯と歯茎の表面に対してそれぞれ異なる摩擦力を施すのも殆ど不可能である。
【０００４】
従来の歯磨き方式では、歯ブラシの柄を手で持たないと行けないので、手足の不自由な老人や、要介護者や、幼い児童には、便利に歯磨きが行えるような構造になっていない。
【０００５】
現在市販の電動式または超音波式の歯ブラシも、その基本構造が前述の手動式歯ブラシと殆ど変わらないので、上記の問題点が解決されていない。
【０００６】
誰でもできる簡単な動作で、歯と歯茎の表裏両面を同時に上下の縦方向で磨けるような、従来の歯ブラシとは異なる構造を有するオーラルケア器具は時代の要請でもある。
【先行技術文献】
【特許文献】
【０００７】
【特許文献１】特開平９−２０１２３０号公報
【発明の概要】
【発明が解決しようとする課題】
【０００８】
本発明が解決しようとする課題は、従来の歯ブラシの上記の問題点を解決し、上下の歯を噛み合うような簡単且つ本能的な動作を通して、上下の縦方向の歯磨きを実現し、高効率且つ過不足無く、歯の表裏両面と噛み合い面を同時に磨くと共に、歯茎の表裏両面に対してマッサージを施すような、従来の歯ブラシとは異なる構造を有するオーラルケア器具（以下、器具と略す）を提供することである。
【課題を解決するための手段】
【０００９】
人間の歯と歯茎は表裏両面を有し、口腔内でほぼ左右と上下対称的に配列している。従来の歯ブラシの構造は、歯と歯茎の上記構造と配列上の対称性とマッチしていないため、歯と歯茎の表裏面を漏れなく均一に磨くのが困難である。
【００１０】
本発明の器具は、外壁、内壁と噛み合い部を基本構造要素として備え、歯と歯茎の表裏両面を、上下の歯を噛み合うような簡単且つ自然な動作で同時に磨けるように、噛み合い部の上側または下側、或いは、上下両側の両端に、対称的に互いに結合する外壁と内壁を設置し、噛み合い部とその両端にある内壁で歯と歯茎を受容する空間を構成する。このような構造では、噛み合い部の表面とその両端にある内壁の表面が、歯と歯茎の表裏両面及び歯の噛み合い面を隙間なく包むことができる。また、本発明の器具には、歯及び歯茎の表面との表面摩擦力を発生させるための、第一表面と第二表面を備えることも可能である。更に、歯磨きの動作と摩擦力をより便利に制御すると同時に、歯磨きの機能を補強するための柄を備えることもできる。
【００１１】
本発明の器具は、上または下の一個或いは数個の歯と歯茎の表裏両面及び歯の噛み合い面を同時に包む単層局部式と、上下の一対或いは数対の歯と歯茎の表裏両面及び歯の噛み合い面を同時に包む上下二層局部式と、上または下の半分の全部の歯と歯茎の表裏両面及び歯の噛み合い面を同時に包む単層半全歯式器具と、左側または右側の上下全部の歯と歯茎の表裏両面及び歯の噛み合い面を同時に包む上下二層半全歯式器具と、上下全部の歯と歯茎の表裏両面及び歯の噛み合い面を同時に包む全歯式器具の五種類の構造を有する。
【００１２】
本発明の器具の外形構造を保つため、外壁は内壁より硬い弾性材料を使用する。また、歯と歯茎に強度の異なる摩擦力を施すため、歯部内壁は歯茎部内壁より硬い弾性材料を使用する。内壁の表面及びその上に設けてある第一表面と、噛み合い部の表面及びその上に設けてある第二表面は、各種の凹凸状表面構造物によって構成される。目的の歯と歯茎を、内壁の表面または第一表面及び噛み合い部の表面または第二表面で包むように、器具を装着して、上下の歯で噛み合い部を噛み合うと、外壁と内壁は歯と歯茎からの外向きの力を受けて変形すると共に歯と歯茎を受容する。この時、上記凹凸状表面構造物は、外壁と内壁の上記変形によって発生した内向きの圧力を持って、歯と歯茎の表裏両面を同時に隙間なく包むようになる。この状態で上下の歯を噛み合い続けると、上記凹凸状表面構造物と歯及び歯茎の表面との間に摩擦力が生じ、この摩擦力を利用して歯の表裏両面を同時に磨くと共に、歯茎の表裏両面に対してマッサージを施す。
【００１３】
本発明の器具の内壁は、歯部内壁と歯茎部内壁の片方、または、両方で構成されることが可能である。内壁が歯部内壁と歯茎部内壁の両方で構成される場合は、歯部内壁と歯茎部内壁との接触面が傾斜状になっている。このような傾斜状の構造によって、上下の歯で器具を噛み合う時に生じる前述摩擦力を、歯部から歯茎部に向かって均一に逓減させることができる。
【００１４】
前記歯部内壁と歯茎部内壁の表面上には、歯及び歯茎の表面との摩擦力及び表面接触面積を増やすための第一表面が設置され、前記歯部内壁の表面と、前記歯茎部内壁の表面と、前記第一表面の材質と構造は互いに同じであっても良いし、互いに異なっても良い。
【００１５】
前記歯部内壁の表面上に設けた前記第一表面と、前記歯茎部内壁の表面上に設けた前記第一表面の材質と構造が互いに同じであっても良いし、互いに異なっても良い。
【００１６】
前記噛み合い部の表面上には、歯の噛み合い面との摩擦力及び表面接触面積を増やすための第二表面が設置され、前記第二表面と前記噛み合い部の表面の材質と構造が互いに同じであっても良いし、互いに異なっても良い。
【００１７】
前記第一表面と第二表面の材質と構造が互いに同じであっても良いし、互いに異なっても良い。
【００１８】
また、前記歯部内壁の表面と、前記歯茎部内壁の表面と、前記噛み合い部の表面の材質と構造が互いに同じであっても良いし、互いに異なっても良い。
【００１９】
前記歯部内壁の表面、歯茎部内壁の表面、噛み合い部の表面、第一表面と第二表面の表面構造物は、凹凸状の球形、半球形、円柱形、円錐形、三角錐形、立方形、三角形、四角形、六角形、多角形、棒形、縦向きの皺、横向きの皺、横と縦交錯の皺の中の一種、または、数種の構造の任意の組み合わせで構成される。また、前記歯部内壁の表面、歯茎部内壁の表面、噛み合い部の表面、第一表面と第二表面の、前記凹凸状表面構造物の材質と構造が互いに同じであっても良いし、互いに異なっても良い。
【００２０】
前記歯部内壁の表面、歯茎部内壁の表面、噛み合い部の表面、第一表面と第二表面は、全てシリコン等の非ブラシ材で構成され、または、シリコン等の非ブラシ材とブラシ材の組み合わせで構成されても良いし、全てブラシ材で構成されても良い。
【００２１】
本発明の器具の歯部内壁または歯茎部内壁は内壁弾性部品と結合し、前記内壁弾性部品が前記外壁、または、前記噛み合い部に固定されることが可能である。また、前記内壁弾性部品の変形自由度を高めるため、前記内壁弾性部品と前記外壁の間に、前記内壁弾性部品が移動できる空間を設けて置くことも可能である。
【００２２】
前記外壁、歯部内壁、歯茎部内壁、噛み合い部、第一表面と第二表面が互いに固定され、または、それぞれを独立した個別の部品として、互いに嵌め込む、或いは、粘着する等の方法で本発明の器具を組み立てることが可能である。従って、それぞれの歯及び歯茎の状況に応じて、最適な歯磨き効果が得られるように部品を選んで器具を組み立てることができる。また、組み立てられた器具の摩損した部品を交換するだけで、器具の歯磨き機能が保持できるので、環境保全効果も大きい。
【００２３】
上下の歯を噛み合う時に発生し得る真空密閉現象を避けるため、本発明の器具には、前記外壁と歯部内壁または歯茎部内壁、或いは、前記噛み合い部を通貫する器具排液口兼通気口を備える。また、前記噛み合い部の中には、前記内壁に平行する方向に沿って器具歯磨き剤通路が設置され、前記器具歯磨き剤通路と垂直に通貫する器具歯磨き剤噴射口も設けてある。このような構造によって、歯磨き剤を器具内に導入し、歯磨きの効果を高めることができる。
【００２４】
更に、前記噛み合い部には、柄と接続する器具接続口も備えている。本発明の器具と接続した柄を使うことによって、歯磨きの摩擦力及び動作をより自由且つ正確に制御することができる。
【００２５】
本発明の器具の噛み合い部には、器具を互いに接続させるための器具間接続機構が設けてあり、これらの器具間接続機構を互いに嵌め込む、或いは、粘着する等の方法で、複数の局部式器具を接続させ、上部または下部の全ての歯と歯茎、或いは左の半分または右の半分の上下全ての歯と歯茎、或いは口腔内の上下全ての歯と歯茎を受容する器具を構成することができる。これによって、それぞれの歯及び歯茎の状況に応じて、最適な歯磨き効果が得られるように、部品としての局部式器具選んで所望な器具を組み立てることができる。また、組み立てられた器具の摩損した部品を交換するだけで、器具の歯磨き機能が保持できるので、環境保全効果も大きい。
【００２６】
前記の柄は、本発明の器具の噛み合い部の噛み合い面に平行、または、垂直な方向に沿って、前記噛み合い部と接続し、前記柄と前記噛み合い部との接続角度は、前記噛み合い部の噛み合い面と平行、または、垂直な面内に於いて、０°〜１８０°の範囲内で変化できるようになっている。
【００２７】
また、前記柄の中には歯磨き剤を貯めるための柄歯磨き剤貯蓄箱と、歯磨き剤を通すための柄歯磨き剤通路が設けてあり、前記器具歯磨き剤通路と前記柄磨き剤通路が互いに通貫するようになっている。柄歯磨き剤貯蓄箱に貯めた歯磨き剤を、柄磨き剤通路及び器具歯磨き剤通路を通して器具内に導入することによって、歯磨きの効果を高めることができる。
【００２８】
歯と歯茎の状況に応じて、本発明の器具の外壁、歯部内壁、歯茎部内壁、噛み合い部と第一表面及び第二表面は、それぞれ異なる材質、或いは、同様な材質で構成されることができる。
【発明の効果】
【００２９】
本発明の器具は、上下の歯を噛み合うような自然且つ本能的な動作だけで、歯と歯茎の表裏両面を均等な摩擦力で同時に磨くことができるので、従来の歯磨き方法に比べ、歯磨きのプロセスがより簡単になり、歯磨きの効率も高くなる。
【００３０】
本発明の器具を上下の歯を噛み合うことによって、上下の縦方向の歯磨きができるので、従来の方法に比べ、歯茎へのダメージが少ない。
【００３１】
本発明の器具で歯磨きを行う時、その内壁の表面または第一表面と、噛み合い部の表面または第二表面が、目的の歯及び歯茎の表裏両面と歯の噛み合い面を隙間なく包めるので、従来の方式では避け難い歯磨きの盲点を少なくすることができる。
【００３２】
本発明の器具は、主に内壁の表面または第一表面及び噛み合い部の表面または第二表面上の凹凸状表面構造物で歯磨きに必要な摩擦力を発生させるので、歯磨き粉等を使用しなくても、十分な歯磨き効果が期待できる
【００３３】
本発明の器具は、外壁、内壁及び噛み合い部等の部品で組み立てられるので、摩損した部品を交換するだけで器具の歯磨き機能が保持でき、未摩損部品を最大限に再利用できるため、環境保全の効果が大きい。
【００３４】
自然且つ本能的な噛み合い動作だけで歯磨きができるので、本発明の器具は、幼児や年寄及び手足の不自由な人々にも適している。
【図面の簡単な説明】
【００３５】
【図１】は、柄付き単層局部式器具の立体構造図である。
【図２】は、柄付き上下二層局部式器具の立体構造図である。
【図３】は、上下二層構造器具の断面構造図である。
【図４】は、器具排液口兼通気口を設けた上下二層構造器具の立体構造図である。
【図５】は、器具歯磨き剤通路、器具歯磨き剤噴射口と器具接続口を設けた噛み合い部の立体構造図である。
【図６】の（ａ）は、内壁弾性部品が外壁に固定された上下二層構造器具の断面構造図である。
【図６】の（ｂ）は、内壁弾性部品が噛み合い部に固定された上下二層構造器具の断面構造図である。
【図７】の（ａ）は、図３の上側の左半分の立体構造図である。
【図７】の（ｂ）は、図７（ａ）の矢印ＡＡ方向の俯瞰図である。
【図７】の（ｃ）は、図７（ａ）の矢印ＢＢ方向の側面図である。
【図７】の（ｄ）は、凹凸状表面構造物の立体図である。
【図８】の（ａ）は、図３の上側の左半分の立体構造図である。
【図８】の（ｂ）は、外壁、内壁と噛み合い部間の嵌め込み構造を示す立体図である。
【図９】の（ａ）は、上下縦向き組み立て方式の内壁の立体図である。
【図９】の（ｂ）は、左右横向き組み立て方式の内壁の立体図である。
【図９】の（ｃ）は、上下縦向きと左右横向きの複合組み立て方式の内壁の立体図である。
【図１０】の（ａ）は、柄付き単層局部式器具の立体構造図である。
【図１０】の（ｂ）は、柄付き単層局部式器具の立体構造図である。
【図１０】の（ｃ）は、柄付き単層局部式器具の立体構造図である。
【図１０】の（ｄ）は、柄付き単層局部式器具の立体構造図である。
【図１０】の（ｅ）は、柄付き単層局部式器具の立体構造図である。
【図１１】の（ａ）は、柄付き上下二層局部式器具の立体構造図である。
【図１１】の（ｂ）は、柄付き上下二層局部式器具の立体構造図である。
【図１１】の（ｃ）は、柄付き上下二層局部式器具の立体構造図である。
【図１１】の（ｄ）は、柄付き上下二層局部式器具の立体構造図である。
【図１１】の（ｅ）は、柄付き上下二層局部式器具の立体構造図である。
【図１２】の（ａ）は、柄付き上下二層局部式器具の立体構造図である。
【図１２】の（ｂ）は、柄付き上下二層局部式器具の立体構造図である。
【図１３】の（ａ）は、内壁弾性部品を備えた単層局部式器具の立体構造図である。
【図１３】の（ｂ）は、内壁弾性部品を備えた上下二層局部式器具の立体構造図である。
【図１４】の（ａ）は、柄の内部構造を示す図である。
【図１４】の（ｂ）は、柄と噛み合い部との接合方式を示す立体図である。
【図１５】の（ａ）は、器具間接続機構を備えた上下二層局部式器具の立体構造図である。
【図１５】の（ｂ）は、二つの上下二層局部式器具を接続した後の立体構造図である。
【図１６】の（ａ）は、単層局部式器具の立体構造図である。
【図１６】の（ｂ）は、上下二層局部式器具の立体構造図である。
【図１６】の（ｃ）は、単層半全歯式器具の立体構造図である。
【図１６】の（ｄ）は、上下二層半全歯式器具の立体構造図である。
【図１６】の（ｅ）は、全歯式器具の立体構造図である。
【発明を実施するための形態】
【００３６】
人間の歯と歯茎は表裏両面を有し、口腔内でほぼ左右と上下対称的に配列している。従来の歯ブラシの構造は、歯と歯茎の上記構造と配列上の対称性とマッチしないため、歯と歯茎の表裏面を均一に磨くことが困難である。本発明は、歯と歯茎の上記構造と配列上の対称性にマッチするような対称的構造を有するオーラルケア器具（以下器具と略す）を提供ことにある。
以下、本発明の器具の構造と特徴及び効果を、最良実施例と図面を参照しながら詳細に説明し、図面は説明するためのものであり、本発明、その用途及び使用に限定することを意図しない。
【実施例１】
【００３７】
図1は柄付き単層局部式器具の立体構造図である。
本発明の器具の基本構造は、外壁１、内壁２、噛み合い部９と柄１３によって構成される。外壁１と内壁２が噛み合い部９の上側または下側の片側の両端に左右対称的に設置され、両端の内壁２の表面上には凹凸状の表面構造を持つ第一表面３が設けられ、噛み合い部９の表面上には凹凸状の表面構造を持つ第二表面８が設けてある。柄１３は外壁１と内壁２に平行な方向に沿って噛み合い部９と接続する。
【００３８】
図１に示す単層局部式器具で、上部または下部の目的の歯と歯茎を、左右両端にある第一表面３と第二表面８で覆うように被り、上下の歯で噛み合い部９を噛み合うと、外壁１、内壁２と噛み合い部９は、歯と歯茎からの外向きの力を受けて変形すると同時に、目的の歯と歯茎を受容する。この時、左右両端にある第一表面３は、外壁１と内壁２の、上記変形に起因する反発弾力を持って、それぞれ目的の歯及び歯茎の表と裏の両面に内向きの圧力を掛けながら接触し、第二表面８も噛み合い部９の上記変形に起因する反発弾力を持って、目的の歯の噛み合い面に内向きの圧力を掛けながら接触する。上下の歯で噛み合い部９を噛み合うと、上記各接触面の間には、上記圧力を介在する相対運動に由来する摩擦力が生じる。本発明の器具は、これらの摩擦力を利用して、目的の歯と歯茎の表裏両面及び歯の噛み合い面を同時に磨く。
【００３９】
上下の歯で着用した器具を噛み合うと、左右両端にある第一表面３と歯及び歯茎の表裏両面との間には上下縦向き方向の摩擦力が発生するので、必然的に歯と歯茎の表裏両面を同時に上下縦向きの方向で磨くことになる。また、着用した器具を、柄１３を用いて横方向に往復移動すると、第一表面３と第二表面８は、横向き方向の摩擦力で歯と歯茎の表裏両面及び歯の噛み合い面を磨くことになる。このように、縦向きと横向き方向の歯磨き動作を組み合わせることによって、歯と歯茎の磨き漏れを抑えることができる。
【００４０】
図１に示す単層局部式器具は、大きさによって、上部或いは下部の、一個または数個の目的の歯と歯茎を磨くに適している。図1に示す単層局部式器具の外壁１、内壁２と噛み合い部９の長さを、柄１３の方向に沿って更に伸ばすことによって、上部或いは下部の全ての歯と歯茎が同時に磨けるような、単層半全歯式器具を構成することもできる。
【実施例２】
【００４１】
図２は柄付き上下二層局部式器具の立体構造図である。
図１に示す単層局部式器具は左右対称な構造を持つが、図２に示す上下二層局部式器具の構造は、左右と上下の両方の対称性を持ち、外壁１と内壁２が噛み合い部９の上下両側の両端に左右対称的に設置されている。また、噛み合い部９の上下両側の左右両端にある内壁２の表面上には、凹凸状の表面構造を持つ第一表面３が設けてあり、噛み合い部９の上下両側の表面上には、凹凸状の表面構造を持つ第二表面８が設けてある。また、柄１３は噛み合い部９の外側と接続する。
【００４２】
上部と下部の目的の歯と歯茎を、噛み合い部９の上下両側それぞれの左右両端にある第一表面３で挟むように、上下二層局部式器具を着用して、上下の歯で噛み合い部９を噛み合うと、図１に示す単層局部式器具と同じ原理と動作で、目的の上下の歯と歯茎の表裏両面を同時に磨くことができる。図１に示す単層局部式器具に比べ、図２に示す上下二層局部式器具は構造的に上下の対称性が増えたので、より便利に上下の歯と歯茎の表裏両面を均等な力で磨くに適している。
【００４３】
大きさによって、図２に示す上下二層構造局部式器具は、上下の一対、または数対の目的の歯とその歯茎を磨くことができる。図２に示す上下二層構造局部式器具の外壁１、内壁２と噛み合い部９の長さを、柄１３の方向に沿って更に伸ばすことによって、口腔内上下全ての歯と歯茎が同時に磨けるような、全歯式器具を構成することもできる。
【実施例３】
【００４４】
図３は上下二層構造器具の断面構造図である。
外壁１は器具の骨格であり、器具の基本外形構造を保持する役割を持つ。上下の歯で器具を噛み合う時、外壁１が外側から内壁２の変位と変形を抑え、内壁２から歯と歯茎に向く反発弾力を発生させる。この反発弾力は内壁２の表面、または、第一表面３が歯及び歯茎の表面に対する圧力となり、内壁２の表面、または、第一表面３と歯及び歯茎の表面との摩擦力の源となる。外壁１の構造と材質を変更することで、上記反発弾力の大きさと分布を適切に設計することができる。
【００４５】
図３に示すように、内壁２は歯茎部内壁２１と、歯部内壁と歯茎部内壁の界面２２と、歯部内壁２３の三つの部分によって構成されることも可能である。また、左右両側の内壁２に挟まれた、歯と歯茎を受容する空間の開口は、歯部内壁２３から歯茎部内壁２１に向かって徐々に広くなる。このような傾斜構造は、人間の歯と歯茎の自然形状に似ているため、上下の歯で器具を噛み合う時の前述摩擦力は、歯部から歯茎部に向かって均一に逓減するようになる。これによって、歯磨き効果を高めると同時に、摩擦力の集中による歯や歯茎の摩耗を抑えることができる。歯だけ磨く場合は、内壁２は歯部内壁２３だけで構成され、歯茎のマッサージだけ行う場合は、内壁２は歯茎部内壁２１だけで構成されることも可能である。
【００４６】
歯茎部内壁２１と歯部内壁２３は、ブラシ状またはシリコン等の非ブラシ状材質で構成されることが可能であり、歯及び歯茎の表面との摩擦力を適切に発生させるため、歯茎部内壁２１と歯部内壁２３は凹凸状の表面構造を有することも可能である。
【００４７】
また、歯部内壁と歯茎部内壁の界面２２の傾斜角度及び形状を変更することによって、歯と歯茎に対する摩擦力の大きさと分布を更に微調整することもできる。
【００４８】
図３に示すように、噛み合い部９の上下両側の左右両端にある内壁２の表面上には第一表面３を設けることも可能である。第一表面３はブラシ状、または、シリコン等の非ブラシ状材質で構成され、凹凸状の表面構造を有する。第一表面３は歯及び歯茎の表面と接触し、その凹凸状の表面構造と歯及び歯茎の表面との摩擦力を利用して、歯を磨くと同時に歯茎に対してマッサージを施す。歯と歯茎に対してそれぞれ強度の異なる摩擦力を施すため、歯茎部内壁２１と歯部内壁２３の表面上に設けてある第一表面３は、それぞれ異なる凹凸状の表面構造を持っても良い。
【００４９】
因みに、内壁２の表面上に第一表面３が設けていない場合は、内壁２の表面が直接歯または歯茎と接触することになり、内壁２の凹凸状表面構造と歯または歯茎との摩擦力によって、歯または歯茎を磨くことになる。
【００５０】
図３に示すように、噛み合い部９の上下両側の表面上には第二表面８を設けることも可能である。第二表面８はブラシ状、または、シリコン等の非ブラシ状材質で構成され、凹凸状の表面構造を有する。上下の歯で噛み合い部９を噛み合うと、噛み合い部９が変形し、第二表面８もこの変形に追随して変形しながら上下の歯の噛み合い面を包む。噛み合い部９の上記変形は、歯の噛み合い面に向く反発弾力を生じさせ、この反発弾力は第二表面８が歯の噛み合い面に対する圧力となり、第二表面８と歯の噛み合い面との摩擦力の源となる。
【００５１】
因みに、噛み合い部９の表面上に第二表面８が設けていない場合は、噛み合い部９の表面が直接歯の噛み合い面と接触することになり、噛み合い部９の凹凸状表面構造と歯の噛み合い部との摩擦力によって、歯の噛み合い部を磨くことになる。
【００５２】
必要に応じて、内壁２の表面上に第一表面３を設置しなくて良いし、噛み合い部９の表面上にも第二表面８を設置しなくて良い。この場合は、内壁２の表面と噛み合い部９の表面は、それぞれ第一表面３と第二表面８と同じような役割を果たすことになる。
【００５３】
また、歯茎部内壁２１の表面と、歯部内壁２３の表面と、第一表面３の材質と構造が互いに同じであっても良いし、互いに異なっても良い。更に、歯茎部内壁２１の表面上に設けた第一表面３と、歯部内壁２３の表面上に設けた第一表面３の材質及び構造が互いに同じであっても良いし、互いに異なっても良い。
【００５４】
第二表面８と噛み合い部９の表面の材質と構造が互いに同じであっても良いし、互いに異なっても良い。また、第一表面３と第二表面８の材質及び構造が互いに同じであっても良いし、互いに異なっても良い。更に、歯茎部内壁２１の表面、歯部内壁の表面２３、噛み合い部９の表面の材質及び構造が互いに同じであっても良いし、互いに異なっても良い。
【００５５】
第一表面３と第二表面８は、本発明の全ての実施例に適応するが、各実施例の構造上の特徴をより的確に表現するため、第一表面３と第二表面８を、本発明の以降の各実施例の図面には一一描かない。
【実施例４】
【００５６】
図４は器具排液口兼通気口を設けた上下二層構造器具の立体構造図である。
器具の通気性を高めるため、外壁１、内壁２と噛み合い部９を通貫するような器具排液口兼通気口７を備えることもできる。器具を噛み合う時に生じた、余分の唾液及び歯磨き剤や空気等は、これらの器具排液口兼通気口７を通して、器具の外に排出され、器具を噛み合う時に発生し得る真空密閉現象を防ぐと同時に、器具を噛み合う時の感触を良くすることができる。
【実施例５】
【００５７】
図５は器具歯磨き剤通路、器具歯磨き剤噴射口と器具接続口を設けた噛み合い部の立体構造図である。
噛み合い部９の中には、器具歯磨き剤通路４と、それと垂直通貫する器具歯磨き剤噴射口５を備えることも可能である。歯磨きを行う時、外部から供給された歯磨き剤を、上記器具歯磨き剤通路４と器具歯磨き剤噴射口５を通して器具内に導入し、歯磨きの効果を更に高めることができる。
【００５８】
また、噛み合い部９には、柄１３と接続するための器具接続口６を設けて置くことも可能である。器具の形状によって、器具接続口６を噛み合い部９の異なる位置に設置することができる。柄１３と接続することによって、器具の歯磨き動作及び歯磨きの摩擦力をより便利に制御することができる。
【実施例６】
【００５９】
図６の（ａ）は内壁弾性部品が外壁に固定された上下二層構造器具の断面構造図である。
内壁２の表面、または、第一表面３と歯及び歯茎の表面との摩擦力をより自由且つ多様に設計するため、外壁１と内壁２の間に、内壁２と結合する内壁弾性部品２００を設置することも可能である。図６の（ａ）に示すように、外壁１に固定された内壁弾性部品２００と外壁１との間に、内壁弾性部品２００がある程度自由に変形できるような空間が設けてある。このような構造では、上下の歯で器具を噛み合う時、内壁弾性部品２００と内壁２が一体になって変形し、一緒に歯と歯茎の表面に向いて反発弾力を施す。この反発弾力は、内壁２の表面、または、第一表面３が歯と歯茎の表面に施す圧力となり、内壁２の表面、または、第一表面３はこの圧力に起因する摩擦力を持って歯と歯茎の表面を磨く。
【００６０】
内壁弾性部品２００の形状及び材質と、内壁弾性部品２００と外壁１との間にある空間の広さを調節することによって、歯磨きの摩擦力とその分布をより多様に変化させることができる。
【００６１】
このような構造では、内壁弾性部品２００が弾性を持つ材質で構成されているため、内壁２の変形自由度が高くなり、口腔内の大きさの異なる歯及び歯茎に対して均等な摩擦力を施すに有利である。
【００６２】
内壁弾性部品２００は、歯部内壁２３、または、歯茎部内壁２１だけと結合することも可能であるが、歯部内壁２３と歯茎部内壁２１を跨って、内壁２全体と結合することも可能である。
【００６３】
図６の（ｂ）は内壁弾性部品が噛み合い部に固定された上下二層構造器具の断面構造図である。
図６の（ｂ）では内壁弾性部品２００が噛み合い部９に固定されている。このような構造では、歯茎部に対する摩擦力が調節され易くなり、歯茎に対するマッサージ機能を重視する。また、内壁弾性部品２００の高さが外壁１の高さを超える場合には、内壁２の変形の自由度が更に高くなり、口腔内の大きさの異なる歯及びその歯茎に対して均等な摩擦力を施すに有利である。
【実施例７】
【００６４】
図７の（ａ）は、図３の上側の左半分の立体構造図である。
図７の（ｂ）は、図７（ａ）の矢印ＡＡ方向の俯瞰図である。
図７の（ｃ）は、図７（ａ）の矢印ＢＢ方向の側面図である。
図７の（ｄ）は、凹凸状表面構造物の立体図である。
ある程度の弧度を持って配列する歯と歯茎に、より良くフィットさせるため、本発明の器具の外壁１、内壁２と噛み合い部９は、全体的に歯の配列の弧度に近い弧度を持つ形状を有する。また、内壁２の表面或いは第一表面３と歯及び歯茎の表面との接触をより良くし、歯間の清掃を促進するため、内壁２の表面、または、第一表面３の形状は、人間の歯の形状に類似した、多数の内壁弧形表面３２で構成することも可能である。
【００６５】
図７の（ａ）と図７の（ｂ）に示すように、内壁２の表面或いはその上に設置された第一表面３と、噛み合い部９の表面或いはその上に設置された第二表面８には、これらの表面と歯及び歯茎の表面との表面接触面積及び摩擦力を調節するための、凹凸状表面構造物が設けてある。
【００６６】
図７の（ｃ）に示すように、内壁２の表面或いはその上に設置された第一表面３の、凹凸状表面構造物の分布密度は、歯部内壁２３の部分の方が、歯茎部内壁２１の部分より高い。これによって、内壁２の表面或いはその上に設置された第一表面３は、歯及び歯茎の表面に対してそれぞれ強度の異なる摩擦力を施し、歯を磨く効果を高めると同時に、歯茎に対する摩耗を抑えることができる。
【００６７】
図7の（ｂ）と図7の（ｃ）に示すように、歯部内壁２３、歯部内壁と歯茎部内壁の界面２２、歯茎部内壁２１、第一表面３及び第二表面８の中には、多数の向き、長さと深さの異なる内壁切口３１を設けることが可能である。上下の歯で器具を噛み合う時、内壁切口３１の周辺の歯部内壁２３、歯部内壁と歯茎部内壁の界面２２、歯茎部内壁２１、第一表面３及び第二表面８は、比較的に変形し易くなり、局所的に回転摩擦力を発生させるため、歯と歯茎の表面をより効果良く磨くことができる。また、内壁切口３１を備えると、内壁弧形表面３２を繋ぐ凸状の接続部が、より容易に変形して歯間の中に深く押し込まれるようになり、歯間を磨く効果が高められることも期待できる。
【００６８】
図７の（ｄ）に示すように、上記凹凸状表面構造物は、立方形、長方形、三角錐形、円柱形、縦向きの皺、横向きの皺及び横縦交錯の皺の形状を有する。上記凹凸状表面構造物は、図７の（ｄ）に示す形状以外に、球形、半球形、円錐形、三角形、四角形、六角形、多角形、棒形、襞状等、歯磨きの摩擦力と表面接触面積を増やすのに有利な、あらゆる形状の凹凸状構造を有することもできる。
【００６９】
上記凹凸状表面構造物は従来のブラシ状でも良い。この場合、磨く部位によって、ブラシの毛の向き、形状、硬さ、太さと毛先の構造及び、これらの組み合わせと分布を変更することも可能である。
【００７０】
内壁２の表面或いはその上に設置された第一表面３と、噛み合い部９の表面或いはその上に設置された第二表面８は、上記ブラシまたは凹凸状表面構造物及び、これらの任意の組み合わせで構成されることができる。
【００７１】
歯部内壁２３の表面とその上に設けてある第一表面３の、上記ブラシと凹凸状表面構造物の材質、形状、分布密度及び、こられの組み合わせが互いに同じであっても良いし、互いに異なっても良い。また、歯茎部内壁２１の表面とその上に設けてある第一表面３の、上記ブラシと凹凸状表面構造物の材質、形状、分布密度及び、これらの組み合わせが互いに同じであっても良いし、互いに異なっても良い。
【００７２】
噛み合い部９の表面とその上に設けてある第二表面８の、上記ブラシと凹凸状表面構造物の材質、形状、分布密度及び、これらの組み合わせが互いに同じであっても良いし、互いに異なっても良い。
【００７３】
歯部内壁２３の表面と、歯茎部内壁２１の表面と、噛み合い部９の表面の、上記ブラシと凹凸状表面構造物の材質、形状、分布密度及び、これらの組み合わせが互いに同じであっても良いし、互いに異なっても良い。
【００７４】
歯部内壁２３の表面上に設けてある第一表面３と、歯茎部内壁２１の表面上に設けてある第一表面３と、噛み合い部９の表面上に設けてある第二表面８の、上記ブラシと凹凸状表面構造物の材質、形状、分布密度及び、これらの組み合わせが互いに同じであっても良いし、互いに異なっても良い。
【００７５】
外壁１、内壁２と噛み合い部９が本発明の器具の基本構成部品であり、内壁２の表面上に設けた第一表面３と、噛み合い部９の表面上に設けた第二表面８が、歯と歯茎及び歯の噛み合い面の表面を磨く主な部品である。これらの部品を一体化して器具を構成することもできるが、互いに嵌め込む、または、粘着する等の方法で、所望な器具を組み立てることも可能である。これらの部品を合理的に組み合わせることによって、異なる歯磨き機能を持つ器具を組み立て方式で構成することが可能である。
【実施例８】
【００７６】
図８の（ａ）は図３の上側の左半分の立体構造図である。
図８の（ｂ）は外壁、内壁と噛み合い部間の嵌め込み構造を示す立体図である。
図８の（ｂ）に示すように、内壁外表面接合部２４の上に設置された凹状楔型接合部品と、外壁内表面接合部１２の上に設置された凸状楔型接合部品を、図８の（ｂ）の点線円Ｉの中の矢印の方向に沿って互いに嵌め込んで、外壁１と内壁２を接合させることができる。それと同時に、内壁底部接合部２５の上に設置された凹状球型接合部品と、噛み合い部表面接合部８１の上に設置された凸状球型接合部品を、図８の(（ｂ）の実線円ＩＩの中の矢印の方向に沿って互いに嵌め込んで、内壁２と噛み合い部９を接合させることができる。部品としての外壁１、内壁２と噛み合い部９の間の嵌め込み方法は、ここで述べた方法に限らず、他にも多くの実施方法が考えられる。また、上記部品間の接合方法に関しても、上記の嵌め込み方式に限らず、互いに粘着して接合する等、他の多くの実施方法が考えられる。
【００７７】
外壁１、内壁２と噛み合い部９だけではなく、第一表面３と第二表面８も部品として、他の部品と互い組み合わせて器具を組み立てることができる。また、上記の部品で組み立てられた新しい部品を、他の部品と更に組み合わせることによって、所望な歯磨き機能を持つ器具を構成することもできる。
【００７８】
寸法、構造、形状、材質、機能及び色等の異なる部品を合理的に選択することによって、多様な歯磨き機能と外観を持つ器具を組み立てることができる。最終的には、それぞれの歯及び歯茎の状況に応じて、最適な歯磨き効果が得られるように器具を組み立てることができる。また、組み立てられた器具の摩損した部品を交換するだけで、器具の歯磨き機能が保持できるので、環境保全効果も大きい。部品を交換することによって、器具の機能だけではなく、器具のデザインも個性化し易くなるのも、本発明の組み立て式器具の一つの利点である。
【００７９】
部品としての、本発明の器具の外壁１、内壁２、噛み合い部９と第一表面３及び第二表面８も、その構成部品によって組み立てられることができる。以下、内壁２を例として、その組み立て方法を示す。
【実施例９】
【００８０】
図９の（ａ）は上下縦向き組み立て方式の内壁の立体図である。
図９の（ｂ）は左右横向き組み立て方式の内壁の立体図である。
図９の（ｃ）は上下縦向きと左右横向きの複合組み立て方式の内壁の立体図である。
図９の（ａ）に示すように、歯茎部内壁部品２a１と歯部内壁部品２a２を、上下縦向きに並べて内壁２を組み立てることができる。また、図９の（ｂ）に示すように、内壁部品２ｂ１と２ｂ２を、左右横向きに並べて内壁２を組み立てることも可能である。更に、内壁２は上記の上下縦向き方式と左右横向き方式を複合した組み立て方式で構成されることも可能である。例えば、図９の（ｃ）に示すように、三つの歯部内壁部品２a２１、２ａ２２と２ａ２３を左右横向きに並べて組み立てられた歯部内壁２１と、三つの歯茎部内壁部品２ａ１１、２ａ１２と２ａ１３を左右横向きに並べて組み立てられた歯部内壁２３とを、上下縦向きに並べて全体の内壁２を構成することができる。
【００８１】
上記内壁２の各構成部品と、それらの表面上に設置された第一表面３の寸法、構造、形状、色及び材質が、互いに同じであっても良いし、互いに異なっても良い。例えば、上記内壁２の各構成部品と、それらの表面上に設置された第一表面３は、硬さの互いに異なるシリコン材料を使っても良い。また、上記内壁２の各構成部品は、太さ、密度、形状、材質及び毛先の構造が互いに同じ、または、異なるブラシであっても良い。更に、上記シリコン材質とブラシ状の内壁２の各構成部品を、互いに組み合わせて内壁２を組み立てることも可能である。一方、上記内壁２の各構成部品の表面上に設置された第一表面３は、それぞれ異なる凹凸状表面構造を持っても良い。
【００８２】
内壁２の各構成部品と、それらの表面上に設けてある第一表面３の材質、構造と寸法等を適切に組み合わせることによって、それぞれの歯と歯茎に最適な歯茎部内壁２１及び歯部内壁２３と、それらの表面上に設置する第一表面３を構成することができる。
【００８３】
内壁２の各構成部品と、それらの表面上に設置する第一表面３を適切に組み合わせることによって、異なる歯磨き機能を持つ器具を構成することができる
【実施例１０】
【００８４】
図１０の（ａ）は柄付き単層局部式器具の立体構造図である。
図１０の（ａ）に示す器具は左右対称的構造を有し、左右両端にある内壁２とそれらの表面上に設けてある第一表面３は、全てシリコン等の柔らかい非ブラシ材を使用するので、歯と歯茎の表裏両面を柔らかく磨くに適している。
【００８５】
図１０の（ｂ）は柄付き単層局部式器具の立体構造図である。
図１０の（ｂ）に示す器具は左右対称的な構造を有し、左右両端にある内壁２は全て従来のブラシ材を使用する。また、ブラシ材の密度と硬さは、歯茎部から歯部に向かって徐々に高くなる。これによって、内壁２の表面と歯及び歯茎の表面との摩擦力を、歯茎部から歯部に向かって滑らかに逓増させ、歯を充分磨くと同時に、歯茎の摩耗を抑えることができる。
【００８６】
図１０の（ｃ）は柄付き単層局部式器具の立体構造図である。
図１０の（ｃ）に示す器具は左右対称的な構造を有し、左右両端にある歯茎部内壁部品２ａ１と、その表面上に設けてある第一表面３は、全てシリコン等の柔らかい非ブラシ材を使用し、歯部内壁部品２ａ２は従来の歯ブラシ材を使用する。このような構造は、歯と歯茎の表面に対して、それぞれ強度の異なる摩擦力を施すに有利である。また、歯茎部内壁部品２ａ１と歯部内壁部品２ａ２の堺面にあるブラシの長さ、太さ、材質と毛先の構造を変更することによって、歯と歯茎の隣接部に溜まり易い歯垢をより効果的に除去することもできる。
【００８７】
図１０の（ｄ）は柄付き単層局部式器具の立体構造図である。
図１０の（ｄ）に示す器具は左右反転対称的な構造を有し、左右両端の内壁部品２ｂ１と、その表面上に設けてある第一表面３は、全てシリコン等の柔らかい非ブラシ材を使用し、内壁部品２ｂ２は従来の歯ブラシ材を使用する。また、内壁部品２ｂ２を構成するブラシ材の密度と硬さは、その歯茎部から歯部向かって徐々に高くなる。このような構造は、歯と歯茎の表裏両面に対して、強度の異なる摩擦力を交互に施すに有利であり、歯と歯茎の表面に対してそれぞれ強度の異なる摩擦力を施すにも有利である。
【００８８】
図１０の（ｅ）は柄付き単層局部式器具の立体構造図である。
図１０の（ｅ）に示す器具は左右対称的な構造を有し、左右両端の内壁２は、三つの歯茎部内壁部品２ａ１１、２ａ１２及び２ａ１３と、歯部内壁部品２a２で構成される。歯茎部内壁部品２ａ１１及び２ａ１３と、それらの表面上に設けてある第一表面３は、全てシリコン等の柔らかい非ブラシ材を使用し、歯茎部内壁部品２ａ１２と歯部内壁部品２ａ２は、それぞれ比較的柔らかいブラシ材と硬いブラシ材を使用する。このような構造は、歯茎に対して強度の異なる摩擦力をより細かく交互に施すと同時に、歯に対しては相対的に強い摩擦力を加えるに有利である。
【００８９】
図１０の（ａ）〜図１０の（ｅ）に示す単層局部式器具と同じく、図２に示す上下二層局部式器具も、内壁２の各構成部品と、それらの表面上に設けてある第一表面３を適切に組み合わせることによって、異なる歯磨き機能を持つ器具を構成することができる。
【実施例１１】
【００９０】
図１１の（ａ）、図１１の（ｂ）、図１１の（ｃ）、図１１の（ｄ）と図１１の（ｅ）は全て柄付き上下二層局部式器具の立体構造図である。
図１１の（ａ）、図１１の（ｂ）、図１１の（ｃ）、図１１の（ｄ）と図１１の（ｅ）に示す上下二層局部式器具の、内壁２の構造と歯磨きの機能は、それぞれ図１０の（ａ）、図１０の（ｂ）、図１０の（ｃ）、図１０の（ｄ）と図１０の（ｅ）に示す単層局部式器具と類似するので、ここでは一一詳しく述べない。但し、上下の対称性を持つため、上下二層局部式器具は単層局部式器具に比べ、上下の歯及び歯茎の表裏両面を同時に磨くに適し、歯磨きの効率も倍増することになる。
【００９１】
一方、上下二層局部式器具に於いて、噛み合い部９の上側と下側に、構造の互いに異なる外壁１と内壁２を設けることが可能であり、上側の構造と下側の構造との対称関係も容易に変更することができる。
【実施例１２】
【００９２】
図１２の（ａ）は柄付き上下二層局部式器具の立体構造図である。
図１２の（ａ）に示す器具は左右対称的な構造を有し、噛み合い部９の上側の左右両端にある内壁２と、その表面上に設けてある第一表面３は、全てシリコン等の柔らかい非ブラシ材を使用し、噛み合い部９の下側の左右両端にある内壁２は、全て従来の歯ブラシ材を使用する。更に、ブラシ材料の密度と硬さは、歯茎部から歯部に向かって徐々に高くなる。このような構造は、上部と下部の歯及び歯茎の表面に対して、それぞれ強度の異なる摩擦力を施すに有利である。また、器具を上下反転することによって、上部と下部の歯及び歯茎の表面に対して、強度の異なる摩擦力を交互に施すにも有利である。
【００９３】
図１２の（ｂ）は柄付き上下二層局部式器具の立体構造図である。
図１２の（ｂ）に示す器具は上下反転対称的な構造を有し、噛み合い部９の上側の左にある内壁２は、従来の歯ブラシ材を使用し、ブラシ材料の密度と硬さは、歯茎部から歯部に向かって徐々に高くなる。また、噛み合い部９の上側の右にある内壁２と、その表面上に設けてある第一表面３は、全てシリコン等の柔らかい非ブラシ材を使用する。このような構造は、歯及び歯茎の表裏両面に対して、それぞれ強度の異なる摩擦力を施すに有利である。
【００９４】
歯磨きの機能をより細かく調節するため、本発明の器具は更に複雑な対称性を有することができる。例えば、図１１の（ｄ）に示す上下二層局部式器具の構造は、左右反転的な対称性だけではなく、上下反転的な対称性も有している。
【００９５】
本発明の単層局部式器具と上下二層局部式器具には、内壁弾性部品２００を備えることも可能である。
【実施例１３】
【００９６】
図１３の（ａ）は内壁弾性部品を備えた単層局部式器具の立体構造図である。
図１３の（ｂ）は内壁弾性部品を備えた上下二層局部式器具の立体構造図である。
図１３の（ａ）に示す単層局部式器具は左右対称的な構造を有し、噛み合い部９の上側の左右両端にある内壁２と、その表面上に設けてある第一表面３は、全てシリコン等の柔らかい非ブラシ材を使用する。このような構造では、内壁弾性部品２００を備えているため、内壁２の変形自由度が高くなり、口腔内の大きさの異なる歯と歯茎の表面をより均等な摩擦力で磨くことができる。言う迄もなく、図１３の（ｂ）に示す上下二層局部式器具は、上下の歯及び歯茎の表裏両面を同時に磨くに適する。
【００９７】
図１３の（ａ）と図１３の（ｂ）に示す器具の内壁２と、その表面上に設ける第一表面３は、ブラシ状でも良いし、ブラシ材と非ブラシ材を組み合わせた物でも良い。また、図１３の（ａ）と図１３の（ｂ）に示す器具の内壁弾性部品２００は、図６の（ｂ）に示すように、噛み合い部９に固定されても良い。
【００９８】
上記単層局部式器具及び上下二層局部式器具は、一個或いは上下の一対、または、数個或いは上下の数対の歯及び歯茎を磨くような大きさを有する。また、これらの器具の内壁２の構造及びその変化は、上記の実施例に例示したものに限らず、他にも多くの実施方法が考えられる。  
【００９９】
器具の柄は、歯磨きの動作及び摩擦力を制御するための重要な部品である。
【実施例１４】
【０１００】
図１４の（ａ）は柄の内部構造を示す図である。
柄１３の内部には、歯磨き剤等を貯めるための柄歯磨き剤貯蓄箱１４と、これらの歯磨き剤等を運ぶための柄歯磨き剤通路１５と、器具接続口６と接続するための柄接続部品１６等の部品を備えることが可能である。歯磨きを行う時、柄１３に圧力を掛ける等の方法で、柄歯磨き剤貯蓄箱１４に貯めた歯磨き剤等を、柄歯磨き剤通路１５の中を通し、柄接続部品１６と器具接続口６を経由して、噛み合い部９の中に設置された器具歯磨き剤通路４と器具歯磨き剤噴射口５によって器具内に送り、歯磨きの効果を高めることができる。歯磨きの効果を更に高めるため、柄１３には超音波発生装置等、振動を発生させる装置を備えることも可能である。
【０１０１】
図１４の（ｂ）は柄と噛み合い部との接続方式を示す立体図である。
図１４の（ｂ）に示すように、柄１３は噛み合い部９と、Ｘ、ＹとＺ軸方向に沿って接続することができる。また、器具の形状によって、Ｘ、Ｙ及びＺ軸方向との接続位置も変更可能である。更に、柄１３と噛み合い部９との接続角度は、Ｘ―Ｙ、Ｘ―ＺとＹ−Ｚ平面に於いて、０°〜１８０°の範囲内で変更することも可能である。柄１３と器具との、上記接続方向と接続角度の変更自由度は、柄１３に歯磨きの動作と摩擦力を制御するための、必要不可欠な自由度を提供する。
【０１０２】
前述のように、本発明の器具は外壁１、内壁２と噛み合い部９等の部品によって組み立てられるが、部品としての局部式器具を互いに接続することによっても、所望な歯磨き機能を持つ器具を構成することができる。
【実施例１５】
【０１０３】
図１５の（ａ）は器具間接続機構を備えた上下二層局部式器具の立体構造図である。
図１５の（ａ）に示す上下二層局部式器具の噛み合い部９には、二つの上下二層局部式器具を互いに繋ぐための、凸状器具間接続機構９１と凹状器具間接続機構９２を備えている。
【０１０４】
図１５の（ｂ）は二つの上下二層局部式器具を接続した後の立体構造図である。
上記の凸状器具間接続機構９１と凹状器具間接続機構９２を互いに嵌め込むことによって、二つの上下二層局部式器具Ｔ１とＴ２を接続させることができる。同様に、多数の上下二層局部式器具を互いに接続することによって、より大きいな二層構造器具を構成することができる。この時、異なる歯磨き機能を持つ上下二層局部式器具、即ち、異なる外壁１、内壁２、噛み合い部９及び第一表面３と第二表面８等の部品で構成された、上下二層局式器具を部品として使用することができる。
【０１０５】
上下二層局部式器具と同じく、単層局部式も同様な方法で、互いに接続してより大きいな単層構造器具を構成することができる。
【０１０６】
上記局部式器具の嵌め込み構造は、ここで例示した方式に限らず、他にも多くの実施方法が考えられる。また、粘着剤等を使って、局部式器具を互いに粘着させる等の方法も考えられる。
【０１０７】
上記局部式器具の組み立て方式は、自由に所望な器具の長さと形状を調整したり、目的の歯と歯茎の具体状況に応じて、部品としての局部式器具を交換したりするのに有利である。また、摩損した局部式器具を交換するだけで、器具の歯磨き機能が保持できるので、環境保全の効果も大きい。
【０１０８】
本発明の器具の基本構成要素である外壁１、内壁２と噛み合い部９から、異なる構造、形状及び機能を有する器具を派生させることができる。
【実施例１６】
【０１０９】
図１６の（ａ）は単層局部式器具の立体構造図である。
図１６の（ａ）の実線で示す単層局部式器具は、上部或いは下部の、一個または数個の目的の歯と歯茎を磨くに適する。
【０１１０】
図１６の（ｂ）は上下二層局部式器具の立体構造図である。
図１６の（ｂ）の実線で示す上下二層局部式器具は、上下の一対または数対の目的の歯と歯茎を磨くに適する。
【０１１１】
図１６の（ｃ）は単層半全歯式器具の立体構造図である。
図１６の（ｃ）の実線で示す単層半全歯式器具は、上部の半分、或いは、下部の半分の全ての歯と歯茎を磨くに適する。
【０１１２】
図１６の（ａ）に示す単層局部式器具の噛み合い部９に、図１５の（ａ）に示すような器具間接続機構を設けて置けば、複数の単層局部式器具を互いに嵌め込む、または、粘着する等の方法で接続させることによって、単層半全歯式器具を構成することができる。
【０１１３】
図１６の（ｄ）は上下二層半全歯式器具の立体構造図である。
図１６の（ｄ）の実線で示す上下二層半全歯式器具は、左の半分、或いは、右の半分の上下全ての歯と歯茎を磨くに適する。
【０１１４】
図１６の（ｂ）に示す上下二層局部式器具の噛み合い部９に、図１５の（ａ）に示すような器具間接続機構を設けて置けば、複数の上下二層局部式器具を互いに嵌め込む、または、粘着する等の方法で接続させることによって、上下二層半全歯式器具を構成することができる。
【０１１５】
図１６の（ｅ）は全歯式器具の立体構造図である。
図１６の（ｅ）の実線で示す全歯式器具は、口腔内の上下全ての歯と歯茎を磨くに適する。全歯式器具は、上下二層局部式器具を互いに嵌め込む、または、粘着する等の方法で構成されることができる。
【０１１６】
上記各種形状の器具は、外壁１、内壁２、噛み合い部９及び第一表面３と第二表面８等の部品によって組み立てられることも可能である。また、前述の内壁切口３１、内壁微小弧形表面３２、内壁弾性部品２００、器具歯磨き剤通路４、器具歯磨き剤噴射口５、器具接続口６等、本発明の器具を実現するための全ての技術的要素は、上記各種形状と構造を有する全ての器具に適応できる。
【０１１７】
以上は、本発明の実施例の説明であって、本発明の権利範囲を限定するものではなく、本発明の特許登録請求の範囲を逸脱しない変更や修飾は、何れも本発明の権利範囲に含まれる。
【符号の説明】
【０１１８】
１            外壁                            
１２          外壁内表面接合部                
１３          柄            
１４          柄歯磨き剤貯蓄箱                
１５          柄歯磨き剤通路          
１６          柄接続部品                      
２            内壁      
２１          歯茎部内壁                      
２２          歯部内壁と歯茎部内壁の界面                        
２３          歯部内壁                        
２４          内壁外表面接合部      
２５          内壁底部接合部                  
２ａ１        歯茎部内壁部品      
２ａ２        歯部内壁部品                    
２ｂ１        内壁部品            
２ｂ２        内壁部品                       
２ａ１１      歯茎部内壁部品     
２ａ１２      歯茎部内壁部品                 
２ａ１３      歯茎部内壁部品    
２ａ２１      歯部内壁部品                   
２ａ２２      歯部内壁部品       
２ａ２３      歯部内壁部品                    
３            第一表面    
３１          内壁切口３１                    
３２          内壁弧形表面
４            器具歯磨き剤通路               
５            器具歯磨き剤噴射口            
６            器具接続口                      
７            器具排液口兼通気口              
８            第二表面                        
８１          噛み合い部表面接合部      
９            噛み合い部                        
９１          凸状器具間接続機構    
９２          凹状器具間接続機構              
Ｔ１          上下二層局部式器具                     
Ｔ２          上下二層局部式器具          
【図１】
2019083949.tif 000003
【図２】
2019083949.tif 000004
【図３】
2019083949.tif 000005
【図４】
2019083949.tif 000006
【図５】
2019083949.tif 000007
【図６】
2019083949.tif 000008
【図７】
2019083949.tif 000009
【図８】
2019083949.tif 000010
【図９】
2019083949.tif 000011
【図１０】
2019083949.tif 000012
【図１１】
2019083949.tif 000013
【図１２】
2019083949.tif 000014
【図１３】
2019083949.tif 000015
【図１４】
2019083949.tif 000016
【図１５】
2019083949.tif 000017
【図１６】
2019083949.tif 000018